(57)【要約】【課題】  カラオケ装置による演奏にて歌う歌を充分に楽しむことが可能な携帯電話端末を提供する。【解決手段】  携帯電話端末１は入力された楽曲識別情報をカラオケ装置に赤外線通信制御部１４から送信する。携帯電話端末１は音楽配信サーバに楽曲識別情報にて選択された楽曲のダウンロード要求を行う。携帯電話端末１は音楽配信サーバからダウンロードした楽曲データをダウンロード楽曲ストック部１３１内にストックする。携帯電話端末１は使用者からの指示に基づいて楽曲伴奏開始信号をカラオケ装置に赤外線通信制御部１４から送信し、カラオケ装置と互いに同期をとって楽曲を演奏する。楽曲が終了すると、携帯電話端末１は使用者からの指示に基づいて楽曲伴奏停止信号をカラオケ装置に赤外線通信制御部１４から送信し、カラオケ装置による楽曲の演奏を終了する。【選択図】      図２
2006195017.tif 000002
【特許請求の範囲】
【請求項１】
楽曲の伴奏のみを演奏する再生装置と、
前記再生装置の演奏と同期をとって当該楽曲の演奏を行う再生手段を含む携帯電話端末とを有することを特徴とするカラオケリンクシステム。
【請求項２】
前記再生装置は、前記楽曲の歌詞を適切なタイミングで表示することを特徴とする請求項１記載のカラオケリンクシステム。
【請求項３】
前記携帯電話端末は、外部から指定された楽曲の情報を前記再生装置に転送する手段を含むことを特徴とする請求項１または請求項２記載のカラオケリンクシステム。
【請求項４】
前記楽曲の情報を前記再生装置に転送する手段は、赤外線通信にて前記楽曲の情報を前記再生装置に転送することを特徴とする請求項３記載のカラオケリンクシステム。
【請求項５】
前記携帯電話端末に前記楽曲を配信する配信装置を含み、
前記携帯電話端末は、前記配信装置から配信される楽曲を蓄積する手段を含むことを特徴とする請求項１から請求項４のいずれか記載のカラオケリンクシステム。
【請求項６】
前記再生手段は、前記再生装置と連動して前記楽曲の演奏を行う際にイヤホン骨伝導のいずれかにて当該楽曲の再生音を出力することを特徴とする請求項１から請求項５のいずれか記載のカラオケリンクシステム。
【請求項７】
楽曲の伴奏のみを演奏する再生装置の演奏と同期をとって当該楽曲の演奏を行う再生手段を有することを特徴とする携帯電話端末。
【請求項８】
前記再生装置は、前記楽曲の歌詞を適切なタイミングで表示することを特徴とする請求項７記載の携帯電話端末。
【請求項９】
外部から指定された楽曲の情報を前記再生装置に転送する手段を含むことを特徴とする請求項７または請求項８記載の携帯電話端末。
【請求項１０】
前記楽曲の情報を前記再生装置に転送する手段は、赤外線通信にて前記楽曲の情報を前記再生装置に転送することを特徴とする請求項９記載携帯電話端末。
【請求項１１】
前記楽曲を配信する配信装置から配信される楽曲を蓄積する手段を含むことを特徴とする請求項７から請求項１０のいずれか記載の携帯電話端末。
【請求項１２】
前記再生手段は、前記再生装置と連動して前記楽曲の演奏を行う際にイヤホン骨伝導のいずれかにて当該楽曲の再生音を出力することを特徴とする請求項７から請求項１１のいずれか記載の携帯電話端末。
【請求項１３】
携帯電話端末が、楽曲の伴奏のみを演奏する再生装置の演奏と同期をとって当該楽曲の演奏を再生手段にて行う処理を実行することを特徴とするカラオケリンク方法。
【請求項１４】
前記再生装置が、前記楽曲の歌詞を適切なタイミングで表示することを特徴とする請求項１３記載のカラオケリンク方法。
【請求項１５】
前記携帯電話端末が、外部から指定された楽曲の情報を前記再生装置に転送する処理を実行することを特徴とする請求項１３または請求項１４記載のカラオケリンク方法。
【請求項１６】
前記楽曲の情報を前記再生装置に転送する処理は、赤外線通信にて前記楽曲の情報を前記再生装置に転送することを特徴とする請求項１５記載のカラオケリンク方法。
【請求項１７】
前記携帯電話端末が、前記楽曲を配信する前記配信装置から配信される楽曲を蓄積手段に蓄積する処理を実行することを特徴とする請求項１３から請求項１６のいずれか記載のカラオケリンク方法。
【請求項１８】
前記再生手段は、前記再生装置と連動して前記楽曲の演奏を行う際にイヤホン骨伝導のいずれかにて当該楽曲の再生音を出力することを特徴とする請求項１３から請求項１７のいずれか記載のカラオケリンク方法。
【請求項１９】
携帯電話端末のコンピュータに、楽曲の伴奏のみを演奏する再生装置の演奏と同期をとって当該楽曲の演奏を再生手段にて行う処理を実行させるためのプログラム。
【発明の詳細な説明】
【技術分野】
【０００１】
本発明はカラオケリンクシステム、携帯電話端末及びそれらに用いるカラオケリンク方法並びにそのプログラムに関し、特に携帯端末への楽曲のダウンロード及びカラオケ装置へのリンクに関する。
【背景技術】
【０００２】
近年、携帯電話端末においては、その性能の向上に伴って、端末から歌手が歌う音楽そのものを流したり、人体の骨に音そのものを伝達する方法（骨伝導）にて、周囲に音楽を漏らすことなく再生する等の機能が搭載されるようになってきている。
【０００３】
一方、携帯電話端末に搭載された赤外線通信機能を用いて、端末自体をテレビやビデオのリモートコントローラとして使用したり、あるいは楽曲のみを演奏するカラオケ（空オーケストラ）装置のリモートコントローラとして使用したりされている（例えば、特許文献１参照）。
【０００４】
【特許文献１】特開２００２−１９６７７０号公報
【発明の開示】
【発明が解決しようとする課題】
【０００５】
「歌を上手に歌いたい」というニーズは昔から身近に存在するものであり、一方で歌を上手く歌うために事前に練習する時間を確保するのは面倒でもある。カラオケ装置による演奏において、正確な音程とリズムとで歌うためには、事前に楽曲を聴いて練習をする必要があり、練習時間がとれないと上達しなかったり、新曲に挑戦できない等の不便がある。そのため、既知の楽曲に選択が偏ったり、練習不足によって音程を外す等、カラオケ装置による演奏にて歌う歌を充分に楽しめない場合がある。
【０００６】
そこで、本発明の目的は上記の問題点を解消し、カラオケ装置による演奏にて歌う歌を充分に楽しむことができるカラオケリンクシステム、携帯電話端末及びそれらに用いるカラオケリンク方法並びにそのプログラムを提供することにある。
【課題を解決するための手段】
【０００７】
本発明によるカラオケリンクシステムは、楽曲の伴奏のみを演奏する再生装置と、
前記再生装置の演奏と同期をとって当該楽曲の演奏を行う再生手段を含む携帯電話端末とを備えている。
【０００８】
本発明による携帯電話端末は、楽曲の伴奏のみを演奏する再生装置の演奏と同期をとって当該楽曲の演奏を行う再生手段を備えている。
【０００９】
本発明によるカラオケリンク方法は、携帯電話端末が、楽曲の伴奏のみを演奏する再生装置の演奏と同期をとって当該楽曲の演奏を再生手段にて行う処理を実行している。
【００１０】
本発明によるカラオケリンク方法のプログラムは、携帯電話端末のコンピュータに、楽曲の伴奏のみを演奏する再生装置の演奏と同期をとって当該楽曲の演奏を再生手段にて行う処理を実行させている。
【００１１】
すなわち、本発明のカラオケリンクシステムは、カラオケ（空オーケストラ）ルーム内にて、携帯電話端末で選択した楽曲のメロディーやバックコーラスを携帯電話端末にダウンロードし、そのダウンロードした楽曲を歌う前に聴いたり、カラオケと連動させて聴きながら歌うことで、カラオケ装置による演奏にて歌う歌を充分に楽しむことが可能となり、歌唱力の向上を図ることが可能となる。
【００１２】
本発明のカラオケリンクシステムでは、希望の楽曲の伴奏し、適切なタイミングで歌詞を表示する表示手段（カラオケ装置）と、選択可能な楽曲を識別して表示手段に送信する識別手段と、識別手段で選択可能な楽曲及びコーラスのパート等を貯蓄して配信する配信手段と、識別手段で選択した楽曲を配信手段から配信するためのの伝達手段とから構成されている。尚、識別手段は配信された楽曲を貯蓄し、表示手段と連動して演奏する記録再生手段を有している。これによって、本発明のカラオケリンクシステムでは、カラオケ装置による演奏にて歌う歌を充分に楽しむことが可能となり、歌唱力の向上を図ることが可能となる。
【００１３】
より具体的に説明すると、本発明のカラオケリンクシステムでは、携帯電話端末に歌手が歌う音楽そのものを流す機能、人体の骨に音そのものを伝達する（骨伝導）機能、カラオケ装置へのリモートコントロール代行等の普及済みの機能やサービスを使用し、演奏とバックコーラス部分のみの楽曲等の新たなコンテンツを組み合わせることで、本来、携帯電話端末自体がもつ「いつでも」、「どこでも」といった特性を最大限に生かすことで、カラオケ装置による演奏にて歌う歌を充分に楽しむことが可能となり、歌唱力の向上を図ることが可能となる。
【００１４】
特に、一般に普及した機器をそのまま流用することで、幅広く低コストで、サービスを利用することが可能となり、汎用機器の新たな利用形態としてユーザに提起することが可能となる。
【００１５】
上記のように、本発明のカラオケリンクシステムでは、まずカラオケルームの顧客からみると、第一に、カラオケが苦手な人でも事前に楽曲を確認可能となる。本発明のカラオケリンクシステムでは、第二に、イヤホンや骨伝導技術によって、音量が大きいカラオケルーム内でも伴奏と同時に模範のメインボーカルを聴きながら歌うことが可能となり、歌唱力の向上が図れる。
【００１６】
本発明のカラオケリンクシステムでは、第三に、新しい楽曲に挑戦したて場合、事前に練習する時間がない人でもリアルタイムに楽曲をダウンロードして確認可能となるため、選択可能な楽曲数を広げることが可能となる。本発明のカラオケリンクシステムでは、第四に、バックコーラス等の上級難易度の歌唱テクニックを習得・実践することが可能となり、よりカラオケを楽しむことが可能となる。
【００１７】
本発明のカラオケリンクシステムでは、第五に、汎用の小型携帯端末を使用するため、同伴者に気付かれずに密かに同サービスのメリットを享受することも可能であり、イメージアップを図ることが可能となる。このように、本発明のカラオケリンクシステムでは、顧客の歌唱力にとらわれず、様々な用途で使用することが可能となり、カラオケをより楽しむことが可能となる。
【００１８】
次に、本発明のカラオケリンクシステムでは、カラオケ事業者からみると、第一に、上述した理由と同様の理由で、よりカラオケの商品価値を高めることが可能となる。本発明のカラオケリンクシステムでは、第二に、特別な初期投資を必要とせず、顧客の端末を使用可能なため、少ないリスクで顧客にアピールすることが可能となる。
【００１９】
本発明のカラオケリンクシステムでは、第三に、携帯電話会社と提携することによって、無償で顧客に端末の貸し出しを行うことで、より広範囲な顧客を同サービスの対象とすることが可能となる。このような販売促進策によって、本発明のカラオケリンクシステムでは、少ない投資で集客力のアップにつなげることが可能となる。
【００２０】
続いて、本発明のカラオケリンクシステムでは、携帯電話会社から見ると、第一に、携帯電話端末に歌手が歌う音楽そのものを流す機能や人体の骨に音そのものを伝達する（骨伝導）機能等の技術の新たなサービス形態を大衆に提案することが可能となる。本発明のカラオケリンクシステムでは、第二に、独自技術をアピールし、携帯端末の貸し出し等で幅広くモニタとして使用してもらえるため、他社からの契約変更の顧客を獲得することが可能となる。
【００２１】
本発明のカラオケリンクシステムでは、第三に、契約者に対して楽曲をカラオケに常日頃から配信する等のサービスも生まれ、新たな収益基盤として期待することが可能となる。このように、本発明のカラオケリンクシステムでは、幅広い宣伝効果と、契約顧客数と、収益力とを同時に高めることが可能となり、サービスとしても競合他社を上回ることが可能となる。
【００２２】
最後に、本発明のカラオケリンクシステムでは、コンテンツ事業者・ネットワーク事業者から見ると、第一に、メインボーカルのみやバックコーラスのみといった新たなコンテンツ領域を拡大することが可能となる。本発明のカラオケリンクシステムでは、第二に、ブロードバンド、モバイルを使用した新たなブロードバンドサービスの一形態として提起することが可能となる。
【００２３】
本発明のカラオケリンクシステムでは、第三に、社会のブロードバンド化が進み、大容量のコンテンツが増えていくことで、ネットワークインフラの需要も喚起され、ＩＴ業界全体に好循環を起こすことが可能となる。このように、本発明のカラオケリンクシステムでは、複数の業界・産業が連携して新たなブロードバンドサービスを打ち出していくことによって、最新技術を用いた快適で豊かな社会生活・娯楽を享受することが可能となる。
【発明の効果】
【００２４】
本発明は、以下に述べるような構成及び動作とすることで、カラオケ装置による演奏にて歌う歌を充分に楽しむことができるという効果が得られる。
【発明を実施するための最良の形態】
【００２５】
次に、本発明の実施例について図面を参照して説明する。図１は本発明の一実施例によるカラオケ（空オーケストラ）リンクシステムの構成を示すブロック図である。図１において、本発明の一実施例によるカラオケリンクシステムは携帯電話端末１と、カラオケルームＡ内のカラオケ装置２及び曲目リストＢと、無線基地局３と、音楽配信サーバ４とから構成されている。
【００２６】
携帯電話端末１とカラオケ装置２とは赤外線通信機能１００で接続されている。また、携帯電話端末１と無線基地局３とは無線ネットワーク２００を介して接続されている。無線基地局３と音楽配信サーバ４とは通常有線であるネットワーク３００とインタネットネットワーク４００とを介して接続されている。
【００２７】
図２は図１の携帯電話端末１の構成を示すブロック図である。図２において、携帯電話端末１はＣＰＵ（中央処理装置）１１と、ＣＰＵ１１が実行する制御プログラム１２ａを格納するメインメモリ１２と、ダウンロード楽曲ストック部１３１と模範ボーカル／パックコーラス情報保持部１３２とを含む記憶装置１３と、カラオケ装置２との通信を行うための赤外線通信制御部１４と、無線基地局３との通信を行うための無線通信制御部１５と、通話先の音声やダウンロードした楽曲を再生してイヤホンや骨伝導技術にて外部に出力する音声再生部１６とから構成されている。
【００２８】
尚、ＣＰＵ１１と、メインメモリ１２と、記憶装置１３と、赤外線通信制御部１４と、無線通信制御部１５と、音声再生部１６とはそれぞれ内部バス１１０に接続され、相互に信号の授受を行っている。
【００２９】
図３は本発明の一実施例によるカラオケリンクシステムの動作を示すシーケンスチャートである。これら図１〜図３を参照して本発明の一実施例によるカラオケリンクシステムの動作について説明する。尚、図３に示す携帯電話端末１の処理はＣＰＵ１１が制御プログラム１２ａを実行することで実現される。
【００３０】
携帯電話端末１の使用者（カラオケルームＡの顧客）が曲目リストＢに記載されている楽曲を選択し、携帯電話端末１に楽曲識別情報を入力すると（図３のａ１）、携帯電話端末１は入力された楽曲識別情報をカラオケ装置２に赤外線通信制御部１４から赤外線通信にて送信する（図３のａ２）。
【００３１】
カラオケ装置２に送信した楽曲の演奏開始の順番を待っている間に、携帯電話端末１は無線基地局３を通して音楽配信サーバ４に、入力された楽曲識別情報にて選択された楽曲のダウンロード要求を行う（図３のａ３）。無線基地局３は無線ネットワーク２００を介してダウンロード要求を受信すると、そのダウンロード要求を有線ネットワークとインタネットネットワーク４００とを介して音楽配信サーバ４に伝達する。
【００３２】
音楽配信サーバ４は楽曲ダウンロード要求を受信すると、要求楽曲を無線基地局３を通して携帯電話端末１に配信する（図３のａ４）。携帯電話端末１は音楽配信サーバ４からダウンロードした楽曲データを記憶装置１３のダウンロード楽曲ストック部１３１内にストックする（図３のａ５）。歌う順番がくると、携帯電話端末１は使用者からの指示に基づいて楽曲伴奏開始信号をカラオケ装置２に赤外線通信制御部１４から赤外線通信にて送信する（図３のａ６）。
【００３３】
この楽曲伴奏開始信号によって、携帯電話端末１とカラオケ装置２とは互いに同期をとって楽曲を演奏し（図３のａ７）、楽曲が終了すると、携帯電話端末１は使用者からの指示に基づいて楽曲伴奏停止信号をカラオケ装置２に赤外線通信制御部１４から赤外線通信にて送信し（図３のａ８）、カラオケ装置２による楽曲の演奏を終了する。
上記の携帯電話端末１とカラオケ装置２とが互いに同期をとって楽曲を演奏する場合、音声再生部１６からイヤホンや骨伝導技術によって出力することで、音量が大きいカラオケルームＡ内でも伴奏と同時に模範のメインボーカルを聴きながら歌うこともでき、歌唱力の向上を図ることができる。
【００３４】
このように、本実施例では、まずカラオケルームＡの顧客からみると、第一に、カラオケが苦手な人でも事前に楽曲を確認することができる。本実施例では、第二に、イヤホンや骨伝導技術によって、音量が大きいカラオケルームＡ内でも伴奏と同時に模範のメインボーカルを聴きながら歌うこともでき、歌唱力の向上を図ることができる。
【００３５】
本実施例では、第三に、新しい楽曲に挑戦したくても、事前に練習する時間がない人でも、リアルタイムに楽曲をダウンロードして確認することができるため、選択できる楽曲数が広がる。本実施例では、第四に、バックコーラス等の上級難易度の歌唱テクニックを習得・実践することができ、よりカラオケを楽しむことができる。本実施例では、第五に、汎用の小型携帯端末を使用するため、同伴者に気付かれずに密かに上記のサービスのメリットを享受することも可能であり、イメージアップを図ることができる。このように、本実施例では、顧客の歌唱力にとらわれず、様々な用途で使用することができ、カラオケをより楽しむことができる。
【００３６】
次に、本実施例では、カラオケ事業者からみると、第一に、上述した理由と同様の理由で、よりカラオケの商品価値を高めることができる。本実施例では、第二に、特別な初期投資を必要とせず、顧客の端末を使用可能なため、少ないリスクで顧客にアピールすることができる。
【００３７】
本実施例では、第三に、携帯電話会社と提携することによって、無償で顧客に端末の貸し出しを行うことで、より広範囲な顧客を上記のサービスの対象とすることができる。このような販売促進策によって、本実施例では、少ない投資で集客力のアップにつなげることができる。
【００３８】
さらに、本実施例では、携帯電話会社から見ると、第一に、携帯電話端末１に歌手が歌う音楽そのものを流す機能や人体の骨に音そのものを伝達する（骨伝導）機能等の技術の新たなサービス形態を大衆に提案することができる。本実施例では、第二に、独自技術をアピールし、携帯端末の貸し出し等で幅広くモニタとして使用してもらえるため、他社からの契約変更の顧客を獲得することができる。
【００３９】
本実施例では、第三に、契約者に対して楽曲をカラオケに常日頃から配信する等のサービスも生まれ、新たな収益基盤として期待することができる。このように、本実施例では、幅広い宣伝効果と契約顧客数、収益力を同時に高めることができ、サービスとしても競合他社を上回ることができる。
【００４０】
最後に、本実施例では、コンテンツ事業者・ネットワーク事業者から見ると、第一に、メインボーカルのみやバックコーラスのみといった新たなコンテンツ領域を拡大することができる。本実施例では、第二に、ブロードバンド、モバイルを使用した新たなブロードバンドサービスの一形態として提起することができる。
【００４１】
本実施例では、第三に、社会のブロードバンド化が進み、大容量のコンテンツが増えていくことでネットワークインフラの需要も喚起され、ＩＴ業界全体に好循環を起こすことができる。このように、本実施例では、複数の業界・産業が連携して新たなブロードバンドサービスを打ち出していくことによって、最新技術を用いた快適で豊かな社会生活・娯楽を享受することができる。
【図面の簡単な説明】
【００４２】
【図１】本発明の一実施例によるカラオケリンクシステムの構成を示すブロック図である。
【図２】図１の携帯電話端末の構成を示すブロック図である。
【図３】本発明の一実施例によるカラオケリンクシステムの動作を示すシーケンスチャートである。
【符号の説明】
【００４３】
１  携帯電話端末
２  カラオケ装置
３  無線基地局
４  音楽配信サーバ
１１  ＣＰＵ
１２  メインメモリ
１２ａ  制御プログラム
１３  記憶装置
１４  赤外線通信制御部
１５  無線通信制御部
１６  音声再生部
１００  赤外線通信機能
１１０  内部バス
１３１  ダウンロード楽曲ストック部
１３２  模範ボーカル／パックコーラス情報保持部
２００  無線ネットワーク
３００  ネットワーク
４００  インタネットネットワーク
Ａ  カラオケルーム
Ｂ  曲目リスト
【図１】
2006195017.tif 000003
【図２】
2006195017.tif 000004
【図３】
2006195017.tif 000005